(57)【要約】  フレキシブル／フラット回路基板を接続するための電気コネクタは、キャビティを備えたハウジングと、ハウジングのキャビティ内に配置された端子と、ハウジングに組み付けられた金属シールドと、を含んでいる。係止部材はハウジングに取り付けられ、キャビティ内に配置された弾性係止突起を備えている。フレキシブル／フラット回路がキャビティ内に挿入された場合、フレキシブル／フラット回路に形成された開口部／ノッチは係止突起と係合し、フレキシブル／フラット回路はハウジングに固定される。シールドはハウジングに対して回動可能であり、係止部材に係合される。開位置にある場合、シールドは係止部材を押圧し、偏向させて、係止突起をキャビティから離れるように押し、フレキシブル／フラット回路は係止突起から係合解除され、コネクタから取り外されることが可能となる。
2015527716.tif 000002
【特許請求の範囲】
【請求項１】
回路基板に接続するための電気コネクタであって、該電気コネクタは、
内部に形成されたキャビティを備えたハウジングであって、前記キャビティは前記ハウジングの前側から挿入された前記回路基板の端部をその内部に受容し、前記ハウジング内には前記回路基板に接続されるための端子が配置されたハウジングと、
該ハウジングに組み付けられたシールドであって、該シールドは閉位置と開位置との間で前記ハウジングに対して回動可能なシールドと、
前記ハウジングに取り付けられた一対の係止部材であって、各係止部材は前記ハウジングに固定された保持片を備え、係止突起および解放突起は前記保持片に対して弾性的に偏向可能な一対の係止部材と、を具備し、
前記シールドが閉位置にある場合、前記係止突起は前記キャビティ内に位置し、前記シールドが開位置にある場合、前記シールドは前記係止部材を偏向させ、前記係止突起を前記キャビティから離れるように移動させることを特徴とする電気コネクタ。
【請求項２】
前記開位置に向かって移動する場合、前記シールドは前記解放突起を付勢し、前記係止部材を偏向させて、前記係止突起を前記キャビティから離れるように移動させることを特徴とする請求項１に記載の電気コネクタ。
【請求項３】
前記解放突起は、前記シールドが前記開位置に向かって移動した場合に、前記シールドと接触する傾斜面を備えていることを特徴とする請求項２に記載の電気コネクタ。
【請求項４】
前記解放突起は、前記キャビティの外側に配置されていることを特徴とする請求項２に記載の電気コネクタ。
【請求項５】
前記シールドは一対の解放部材を備え、各解放部材は前記ハウジングに形成された解放開口部内に配置されており、前記シールドが回動した場合、前記解放部材は前記解放開口部内で移動可能であることを特徴とする請求項２に記載の電気コネクタ。
【請求項６】
各前記係止部材の前記係止突起は、前記ハウジングの前側に面した傾斜面を備え、回路基板が前記キャビティ内に挿入された場合、前記回路基板は前記傾斜面に対して付勢して、前記係止突起を前記キャビティの外に移動させることを特徴とする請求項１に記載の電気コネクタ。
【請求項７】
前記ハウジングは、該ハウジングから外向きに突出した一対の突起を備え、前記シールドは、中間部および該中間部から直角に曲げられた一対の側壁を備え、各側壁は対応した突起と係合した回動ベアリングを備え、前記シールドの回動を支持していることを特徴とする請求項１に記載の電気コネクタ。
【請求項８】
前記ハウジングに取り付けられた一対の支持プレートをさらに具備し、各支持プレートは前記一対の係止部材に一体的に形成されており、各支持プレートは対応した回動突起と整列された回動支持部を備え、回動シャフトを形成して、前記シールドの回動を支持していることを特徴とする請求項７に記載の電気コネクタ。
【請求項９】
各支持プレートは自身に形成された開口部を備え、前記シールドは一対の係止ボスを備え、各係止ボスは前記一対の側壁の１つに形成されており、前記シールドが前記閉位置にある場合、各前記係止ボスは対応した開口部内に配置されていることを特徴とする請求項７に記載の電気コネクタ。
【請求項１０】
前記端子は信号端子および接地端子を含み、前記コネクタは前記ハウジングに取り付けられ且つ前記接地端子と電気的に接触した接地バーをさらに具備し、前記接地バーは前記一対の係止部材に一体的に形成されていることを特徴とする請求項１に記載の電気コネクタ。
【請求項１１】
前記閉位置において、前記シールドは前記接地バーに係合して、前記接地バーが前記ハウジングから脱落することを防止していることを特徴とする請求項１０に記載の電気コネクタ。
【請求項１２】
請求項１に記載の電気コネクタと、
前部および該前部に形成された一対の開口部を備えた回路基板であって、前記前部は前記キャビティ内に配置され、前記係止部材の各前記係止突起は、対応した前記一対の開口部の１つと係合し、前記回路基板が前記ハウジングから外れることを防止している回路基板と、を具備していることを特徴とする電気コネクタアセンブリ。
【発明の詳細な説明】
【技術分野】
【０００１】
本発明は電気コネクタに関する。特に、本発明は、印刷回路基板にフレキシブル回路を接続するための電気コネクタに関する。
【背景技術】
【０００２】
フレキシブル回路のための電気コネクタは、電子デバイスおよびシステムにおいて広く使用されている。導電性、信頼性、および組み立ての容易さを改善するために、しばしばフレキシブル回路をコネクタに係止する必要がある。公知のフレキシブル回路のための電気コネクタは、係止の効果を確実にするために、複雑な構成または組立作業を有する。小型化されたデバイス内の機器に関して、コネクタおよびフレキシブル回路の両方の物理的寸法は非常に小さく、公知のコネクタの係止機構を提供することは不適切である。
【発明の概要】
【発明が解決しようとする課題】
【０００３】
したがって、小型サイズのフレキシブル回路のための電気コネクタを提供することが所望されている。
【課題を解決するための手段】
【０００４】
フレキシブル／フラット回路基板に接続するための電気コネクタは、キャビティを備えたハウジングと、ハウジングのキャビティ内に配置された端子と、ハウジングに組み付けられた金属シールドと、を含んでいる。キャビティは、ハウジングの前側に挿入されたフレキシブル／フラット回路基板またはその一部を受容するように構成されている。係止部材はハウジングに取り付けられ、キャビティ内に配置された弾性係止突起を備えている。フレキシブル／フラット回路がキャビティ内に挿入された場合、フレキシブル／フラット回路に形成された開口部／ノッチは係止突起と係合し、フレキシブル／フラット回路はハウジングに固定される。シールドはハウジングに対して回動可能であり、係止部材に係合する。開位置に向かって回動した場合、シールドは係止部材を押圧し、偏向させて、係止突起をキャビティから離れるように押し、これによってフレキシブル／フラット回路は係止突起から係合解除され、コネクタから取り外されることが可能となる。
【０００５】
本発明のこれらのおよび他の態様は、添付図を参照して詳細に記載されている。
【図面の簡単な説明】
【０００６】
【図１】本発明の一実施形態によるフレキシブル回路コネクタを示した斜視図である。
【図２】図１のコネクタにフレキシブル回路基板が接続された状態を示した図である。
【図３】図２の分解斜視図である。
【図４】別の角度から見た図２の分解斜視図である。
【図５】Ａ−Ａに沿った図１の断面を示した拡大図である。
【図６】図４の部分拡大図である。
【図７】図１に示されたフレキシブル回路コネクタの後側を示した拡大斜視図である。
【図８】Ｂ−Ｂに沿った図７の部分断面図である。
【図９】ハウジングを除外した、図２の斜視図である。
【図１０】シールドが開位置にある場合の、図１の斜視図である。
【図１１】図１０の部分拡大図である。
【図１２】Ｃ−Ｃに沿った図１１の拡大断面図である。
【図１３】Ｄ−Ｄに沿った図１１の拡大断面図である。
【図１４】図１の後側を示した斜視図である。
【図１５】Ｅ−Ｅに沿った図１４の断面を示した図である。
【図１６】本発明の別の実施形態によるフレキシブル回路コネクタ内の、係止部材および接地バーの構造を示した斜視図である。
【図１７】本発明のさらなる実施形態によるフレキシブル回路コネクタ内の、係止部材を示した斜視図である。
【図１８】多様なタイプのフレキシブル／フラット回路基板またはリボンが、本発明の実施形態によるフレキシブル回路コネクタの係止突起と係合した状態を示した図である。
【図１９】多様なタイプのフレキシブル／フラット回路基板またはリボンが、本発明の実施形態によるフレキシブル回路コネクタの係止突起と係合した状態を示した図である。
【発明を実施するための形態】
【０００７】
図１〜図５に示されているように、フレキシブル回路基板１０を接続するための電気コネクタ１００は、ハウジング１１０およびハウジング１１０内に配置された端子１２０を含んでいる。
【０００８】
ハウジング１１０は、前側１０２およびその反対の後側１０４を備えている。キャビティ１０６はハウジング１１０内に形成され、その内部にフレキシブル回路基板１０を受容するために前側１０２において開口しており、端子１２０との電気的接続を確立する。ハウジング１１０の上部には金属シールド１３０が組み付けられ、このシールドは電磁効果を減少させ、コネクタ１００のための信号伝送速度を改良することに寄与している。
【０００９】
シールド１３０は、中間部１３１から直角に曲げられた一対の側壁１３３を備えている。各側壁１３３は、自身に形成された回動ベアリング１３４および係止ボス１３６を備えている。シールド１３０は、回動ベアリング１３４をハウジング１１０に形成された一対の回動突起１１４に係合させることによって、ハウジング１１０に組み付けられている。このようにハウジング１１０に組み付けられていることによって、シールド１３０は、回動ベアリング１３４および回動突起１１４の係合によって形成された回動軸１０８の周りに、閉位置と開位置との間で回動可能となっている。さらに、シールド１３０は一対の解放部材１３２を備え、各開放部材はハウジング１１０に形成された解放開口部１１２内に配置されている。シールド１３０が回動された場合、解放部材１３２は解放開口部１１２内において移動可能となる。
【００１０】
コネクタ１００は、例えば金属製の一対の固定タブ１５０を含んでいる。固定タブ１５０は、各々がハウジング１１０の左側および右側に組み付けられている。各固定タブ１５０は、ハウジング１１０の一側面に取り付けられた支持プレート１５３を備えている。支持フレーム１５３上には、回動支持部１５４および係止支持部１５６が形成されている。回動支持部１５４は対応した回動突起１１４と整列されており、回動ベアリング１３４に連結された回動シャフトを形成し、シールド１３０の回動を支持している。係止支持部１５６は開口部の形状であり、係止ボス１３６と係合して、閉位置においてシールド１３０を固定している。
【００１１】
各固定タブ１５０は、リンク片１５７を介して係止部材１５５に一体的に形成されている。係止部材１５５は、一端に形成された係止突起１５１および解放突起１５２を備えている。係止部材１５５の反対側端部には、保持片１５８が形成されている。
【００１２】
図６〜図８に示されたように、固定タブ１５０がハウジング１１０に取り付けられた場合、係止部材１５５は、ハウジング１１０の組み付け凹部１１８内に挿入された保持片１５８とともにハウジング１１０の組み付け溝１１５内に配置されている。その一方で、係止突起１５１はキャビティ１０６内に延び、解放突起１５２はハウジング１１０の解放開口部１１２内に配置されている。
【００１３】
フレキシブルフラット回路基板またはリボン１０のコネクタ１００への接続が所望された場合、図９に示されたように、シールド１３０は閉位置にあり、十分な圧力は解放部材１３２によって解放突起１５２に負荷されておらず、係止突起１５１はキャビティ１０６内に位置している。
【００１４】
次に、フレキシブル／フラット回路基板またはリボン１０は、挿入方向１２に沿ってキャビティ１０６内に挿入され、その間に、フレキシブルフラット回路基板１０は接触状態となり、係止突起１５１の傾斜した前面１５１ａを押圧する。係止突起１５１はキャビティ１０６から離れるように偏向され、フレキシブル／フラット回路基板またはリボン１０が通過する。フレキシブル／フラット回路基板またはリボン１０のさらなる挿入は、開口部１５を係止突起１５１と整列させ、係止突起１５１が原位置に跳ね返り、フレキシブル／フラット回路基板またはリボン１０の開口部１５に係合することを可能にする。この係合によって、フレキシブル／フラット回路基板またはリボン１０は係止突起１５１によってキャビティ１０６内に係止され、コネクタ１００から脱落することが防止される。フレキシブル／フラット回路基板またはリボン１０とコネクタ１００との間の電気的接続が確立され、且つ維持される。
【００１５】
フレキシブル／フラット回路基板またはリボン１０が、例えば修理または交換の工程の際にコネクタ１００から取り外されることが所望された場合、シールド１３０は、図１０および図１１に示したように、係止ボス１３６と係止支持部１５６との間の係合力を超えて開位置へと回動される。シールド１３０の開位置への回動は、解放部材１３２の後側を向いた傾斜面との係合によって、解放部材１３２を解放開口部１１２内に強制的にさらに移動させる。図１２および図１３に示されたように、シールド１３０が開位置にある場合、各解放部材１３２は対応した係止部材１５５の解放突起１５２を押圧し、係止部材１５５を下方に偏向させている。係止突起１５１および解放突起１５２は一体的に係止部材１５５に形成されているので、係止突起１５１は係止部材１５５の偏向に追従し、フレキシブルフラット回路基板またはリボン１０の開口部１５の外側に移動する。そのようにして、フレキシブル／フラット回路基板またはリボン１０と係止突起１５１との間の係合は解消され、フレキシブル／フラット回路基板またはリボン１０はコネクタ１００から取り外されることが可能となる。
【００１６】
シールド１３０が閉位置に回動された場合、解放部材１３２によって解放突起１５２に負荷された押圧力は減少され、次いで除去される。弾性的性質のために、係止部材１５５は原位置に跳ね返り、これによって係止突起１５１はキャビティ１０６内の所定の位置に復帰する。
【００１７】
図２、図１４、および図１５は、ハウジング１１０、端子１２０、シールド１３０、および接地バー１４０の間の詳細な位置関係を示している。端子１２０は、交互の様式で配置された接地端子１２０Ｇおよび信号端子１２０Ｓ、すなわち２つの接地端子１２０Ｇの間に配置された一対の信号端子１２０Ｓを含んでいる。接地バー１４０は、１つの接地端子１２０Ｇと接触して配置された各接地フィンガ１４２とともに、ハウジング１１０に取り付けられている。このように、すべての接地端子１２０Ｇは、接地バー１４０に同時に電気的に接続されている。
【００１８】
閉位置にある場合、シールド１３０は接地バー１４０に係合し、且つ電気的に接触している。したがって、接地バー１４０およびシールド１３０はすべての接地端子１２０Ｇに関して共通の接地を提供し、これによってコネクタのシールド効果が増強され、且つ信号伝達速度が改良されることが可能である。
【００１９】
それに加えて、閉位置にある場合、シールド１３０はコネクタの外側から接地バー１４０に作用する。この係合は、接地バーを効果的に所定の位置に固定し、且つ接地バー１４０がハウジング１１０から脱落することを防止している。
【００２０】
本発明の実施形態は添付図と併せて記載され、これまでに詳細に記述されているが、本発明が開示された実施形態に限定されるものではないことが理解されるべきである。例えば、図１６においては、本発明の別の実施形態によるフレキシブル回路基板において、係止部材２４５および接地バー２４０は一体の部品として形成されている。各係止部材２４５は、対応したリンク片２４７によって接地バーに接続されている。この実施形態は、コネクタ製造業者にコネクタを設計するための代替の解決策を提供しており、そのコネクタは異なった製造環境に適し得るものである。さらなる実施形態によれば、係止部材３５５は、固定タブまたは接地バーのいずれかの一部ではなく、ハウジングにポスト挿入またはインサートモールドによって取り付けられた独立した部品であってもよく、図１７に示したように、フレキシブル／フラット回路基板またはリボンを係止する。それに加えて、図１８および図１９に示したように、本発明の実施形態は、多様なタイプのフレキシブル／フラット回路基板またはリボン１０’、１０”が接続され得るコネクタを提供している。図１７においては、フレキシブル／フラット回路基板またはリボン１０’は一対のノッチ１５’（１つのみが図示されている）を備え、各ノッチは係止部材１５５の係止突起１５１係合するためのショルダ１６’を形成している。図１８においては、フレキシブル／フラット回路基板またはリボン１０”は一対の側方突起１６” （１つのみが図示されている）を備え、その突起は係止部材１５５の係止突起１５１に係合する。したがって、本発明は、多くの再配置、改良、選択肢、および置換が、以下の特許請求の範囲によって説明され且つ記載された本発明の思想から逸脱することなく可能であることが理解されるべきである。
【符号の説明】
【００２１】
１０  ・・・フレキシブル回路基板
１２  ・・・挿入方向
１５  ・・・係合開口部
１００  ・・・電気コネクタ
１０２  ・・・前側
１０４  ・・・後側
１０６  ・・・キャビティ
１０８  ・・・回動軸
１１０  ・・・ハウジング
１１２  ・・・解放開口部
１１４  ・・・回動突起
１１５  ・・・組み付け溝
１１８  ・・・組み付け凹部
１２０  ・・・端子
１３０  ・・・シールド
１３２  ・・・解放部材
１３３  ・・・側壁
１３４  ・・・回動ベアリング
１３６  ・・・係止ボス
１４０  ・・・接地バー
１５０  ・・・固定タブ
１５１  ・・・係止突起
１５２  ・・・解放突起
１５３  ・・・支持プレート
１５４  ・・・回動支持部
１５５  ・・・係止部材
１５６  ・・・係止支持部
１５７  ・・・リンク片
１５８  ・・・保持片
【図１】
2015527716.tif 000003
【図２】
2015527716.tif 000004
【図３】
2015527716.tif 000005
【図４】
2015527716.tif 000006
【図５】
2015527716.tif 000007
【図６】
2015527716.tif 000008
【図７】
2015527716.tif 000009
【図８】
2015527716.tif 000010
【図９】
2015527716.tif 000011
【図１０】
2015527716.tif 000012
【図１１】
2015527716.tif 000013
【図１２】
2015527716.tif 000014
【図１３】
2015527716.tif 000015
【図１４】
2015527716.tif 000016
【図１５】
2015527716.tif 000017
【図１６】
2015527716.tif 000018
【図１７】
2015527716.tif 000019
【図１８】
2015527716.tif 000020
【図１９】
2015527716.tif 000021
【国際調査報告】
2015527716.tif 000022
2015527716.tif 000023